(57)【特許請求の範囲】
【請求項１】
ダウンロード局と車載再生装置と、を有するダウンロード再生システムであって、
（ａ）前記車載再生装置は、
当該車載再生装置が塔載された車のキーの抜き挿しの状態ならびに当該キーが挿されている場合の向きを検知することにより、当該車が所定の停止状態にあるか否かを検知する検知部、
前記ダウンロード局と無線通信する車側無線通信部、
当該車が所定の停止状態にある旨検知された場合、ダウンロード要求を、前記車側無線通信部を介して前記ダウンロード局へ送信する要求送信部
を備え、
（ｂ）前記ダウンロード局は、
前記車載再生装置と無線通信する局側無線通信部、
前記車載再生装置から送信されたダウンロード要求を、前記局側無線通信部を介して受信する要求受信部、
前記ダウンロード要求が受信された場合、当該ダウンロード局にあらかじめ蓄積され、もしくは、当該ダウンロード局が接続されたコンピュータ通信網内に蓄積されたマルチメディア情報（文字情報、音声情報、画像情報、地図情報のいずれか、もしくは、これらの任意の組合せを含む。）を、前記局側無線通信部を介して前記車載再生装置へ送信する情報送信部
を備え、
（ｃ）前記車載再生装置は、
前記ダウンロード局から送信されたマルチメディア情報を、前記車側無線通信部を介して受信する情報受信部、
前記受信されたマルチメディア情報を蓄積する情報蓄積部、
当該車が所定の停止状態にない場合、前記蓄積されたマルチメディア情報を再生する情報再生部
をさらに備える
ことを特徴とするダウンロード再生システム。
【請求項２】
請求項１に記載のダウンロード再生システムの車載再生装置。
【請求項３】
請求項１に記載のダウンロード再生システムのダウンロード局。
【請求項４】
ダウンロード局と無線通信し、マルチメディア情報（文字情報、音声情報、画像情報、地図情報のいずれか、もしくは、これらの任意の組合せを含む。）をこれからダウンロードして再生する車載再生装置が実行する車載再生方法であって、当該車載再生装置は、検知部と、要求送信部と、情報受信部と、情報蓄積部と、情報再生部と、を備え、当該車載再生装置は、
前記検知部が、車のキーの抜き挿しの状態ならびに当該キーが挿されている場合の向きを検知することにより、当該車が所定の停止状態にあるか否かを検知する検知工程、
当該車が所定の停止状態にある旨検知された場合、前記要求送信部が、ダウンロード要求を、無線通信により前記ダウンロード局へ送信し、
前記情報受信部が、前記ダウンロード局から送信されたマルチメディア情報を、無線通信により受信する情報受信工程、
前記情報蓄積部が、前記受信されたマルチメディア情報を蓄積する情報蓄積工程、
当該車が所定の停止状態にない場合、前記情報再生部が、前記蓄積されたマルチメディア情報を再生する情報再生工程
を備えることを特徴とする方法。
【請求項５】
コンピュータを請求項２に記載の車載再生装置として機能させる
ことを特徴とするプログラム。
【請求項６】
コンピュータを請求項３に記載のダウンロード局として機能させる
ことを特徴とするプログラム。
【発明の詳細な説明】
【０００１】
【発明の属する技術分野】
本発明は、ダウンロード再生システム、車載再生装置、ダウンロード局、車載再生方法、ダウンロード方法、ならびに、プログラムに関する。
【０００２】
【従来の技術】
従来から、インターネット接続可能なコンピュータを介してオーディオ機器に楽曲の音声情報をダウンロードして蓄積し、その後にオーディオ機器をコンピュータとは切り離して単独で楽曲を再生できるようなマルチメディア機器が提供されている。
【０００３】
一方で、自動車等に塔載されるカーオーディオシステムやカーナビゲーションシステムでは、ＤＶＤ（Digital Versatile Disk/Digital Video Disk）を用いて多量の地図情報を蓄積している。
【０００４】
【発明が解決しようとする課題】
したがって、マルチメディア情報（文字情報、音声情報、画像情報、地図情報のいずれか、もしくは、これらの任意の組合せを含む。）を自動的に車載オーディオ・ナビゲーション機器に簡易にダウンロードできるような手法に対する要望は、ますます高まっている。
【０００５】
本発明は、以上の課題を解決するためになされたもので、ダウンロード再生システム、車載再生装置、ダウンロード局、車載再生方法、ダウンロード方法、ならびに、プログラムを提供することを目的とする。
【０００６】
【課題を解決するための手段】
以上の目的を達成するため、本発明の原理にしたがって、下記の発明を開示する。
【０００７】
本発明の観点に係るダウンロード再生システムは、ダウンロード局と車載再生装置と、を有し、以下のように構成する。
【０００８】
すなわち、車載再生装置は、検知部と、車側無線通信部と、要求送信部と、を備える。
【０００９】
ここで、検知部は、当該車載再生装置が塔載された車が所定の停止状態にあるか否かを検知する。
【００１０】
一方、車側無線通信部は、ダウンロード局と無線通信する。
【００１１】
さらに、要求送信部は、当該車が所定の停止状態にある旨検知された場合、ダウンロード要求を、車側無線通信部を介してダウンロード局へ送信する。
【００１２】
一方、ダウンロード局は、局側無線通信部と、要求受信部と、情報送信部と、を備える。
【００１３】
ここで、局側無線通信部は、車載再生装置と無線通信する。
【００１４】
一方、要求受信部は、車載再生装置から送信されたダウンロード要求を、局側無線通信部を介して受信する。
【００１５】
さらに、情報送信部は、ダウンロード要求が受信された場合、当該ダウンロード局にあらかじめ蓄積され、もしくは、当該ダウンロード局が接続されたコンピュータ通信網内に蓄積されたマルチメディア情報を、局側無線通信部を介して車載再生装置へ送信する。
【００１６】
そして、車載再生装置は、情報受信部と、情報蓄積部と、情報再生部と、をさらに備える。
【００１７】
ここで、情報受信部は、ダウンロード局から送信されたマルチメディア情報を、車側無線通信部を介して受信する。
【００１８】
一方、情報蓄積部は、受信されたマルチメディア情報を蓄積する。
【００１９】
さらに、情報再生部は、当該車が所定の停止状態にない場合、蓄積されたマルチメディア情報を再生する。
【００２０】
本発明の他の観点に係る車載再生装置は、上記のダウンロード再生システムの車載再生装置である。
【００２１】
本発明の他の観点に係るダウンロード局は、上記のダウンロード再生システムのダウンロード局である。
【００２２】
本発明の他の観点に係る車載再生方法は、ダウンロード局と無線通信し、マルチメディア情報をこれからダウンロードして再生し、検知工程と、要求送信工程と、情報受信工程と、情報蓄積工程と、情報再生工程と、を備え、以下のように構成する。
【００２３】
すなわち、検知工程では、車が所定の停止状態にあるか否かを検知する。
【００２４】
一方、要求送信工程では、当該車が所定の停止状態にある旨検知された場合、ダウンロード要求を、無線通信によりダウンロード局へ送信する。
【００２５】
さらに、情報受信工程では、ダウンロード局から送信されたマルチメディア情報を、無線通信により受信する。
【００２６】
そして、情報蓄積工程では、受信されたマルチメディア情報を蓄積する。
【００２７】
一方、情報再生工程では、当該車が所定の停止状態にない場合、蓄積されたマルチメディア情報を再生する。
【００２８】
本発明の他の観点に係るダウンロード方法は、車載再生装置と無線通信し、マルチメディア情報をこれへダウンロードし、要求受信工程と、情報送信工程と、を備え、以下のように構成する。
【００２９】
すなわち、要求受信工程では、車載再生装置から当該車載再生装置が塔載された車が所定の停止状態にある場合に送信されるダウンロード要求を、無線通信により受信する。
【００３０】
一方、情報送信工程では、ダウンロード要求が受信された場合、あらかじめ蓄積され、もしくは、コンピュータ通信網内に蓄積されたマルチメディア情報を、車載再生装置へ無線通信により送信する。
【００３１】
本発明の他の観点に係るプログラムは、コンピュータを、上記の車載再生装置、もしくは、上記のダウンロード局として機能させ、または、コンピュータに、上記の車載再生方法、もしくは、上記のダウンロード方法を実行させるように構成する。
【００３２】
当該プログラムは、コンパクトディスク、フレキシブルディスク、ハードディスク、光磁気ディスク、ＤＶＤ、磁気テープ、半導体メモリなどのコンピュータ読取可能な情報記録媒体に記録することができる。
【００３３】
また、本発明のプログラムをインターネット等のコンピュータ通信網を介して配布、販売したり、コンピュータとは独立して、本発明のプログラムを記録した情報記録媒体を配布、販売することができる。
【００３４】
【発明の実施の形態】
以下に本発明の一実施形態を説明する。なお、以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本願発明の範囲に含まれる。
【００３５】
（発明の実施形態）
図１は、本発明の実施形態の一つに係るダウンロード再生システムの概要構成を示す模式図である。図２は、当該ダウンロード再生システムにおいて実行される車側ダウンロード処理と、局側ダウンロード処理と、の処理の流れを示すフローチャートである。以下、これらの図を参照して説明する。
【００３６】
ダウンロード再生システム１０１は、ダウンロード局１３１と車載再生装置１６１と、を有する。
【００３７】
車載再生装置１６１は自動車に塔載され、ダウンロード局１３１（の一部）は、当該自動車の車庫に配置される。本実施形態では、ユーザが自動車を車庫に入れてエンジンを切る（キーを外す、キーを所定の向きに回転させて所定の姿勢にする等）とマルチメディア情報のダウンロードが開始され、エンジンを入れる（キーを挿す、キーを上記とは逆向きに回転させて上記とは別の所定の姿勢にする等）と当該ダウンロードしたマルチメディア情報を再生することができるようになる。
【００３８】
ここで、車載再生装置１６１は、検知部１６２と、車側無線通信部１６３と、要求送信部１６４と、情報受信部１６５と、情報蓄積部１６６と、情報再生部１６７と、を備える。
【００３９】
一方、ダウンロード局１３１は、局側無線通信部１３２と、要求受信部１３３と、情報送信部１３４と、を備える。
【００４０】
車載再生装置１６１において、検知部１６２は、当該車載再生装置１６１が塔載された車が所定の停止状態にあるか否かを検知する（ステップＳ２０１）。この検知は、上記のように、自動車のキーが挿されているか、自動車のキーが挿されている場合はどの向きになっているか、によって行う。
【００４１】
一般に自動車のキーは、以下の４段階の姿勢がある。
（１）キーの抜き差しが可能な向き。
（２）カーステレオ、カークーラーなどは動作するが、エンジンは切れたままになる向き。
（３）エンジンも動作している場合の向き  （エンジンがストップしている場合もありうる）。
（４）エンジンをかける場合の向き。
【００４２】
エンジンをかける場合は、キーを挿入してから（１）→（２）→（３）→（４）→（３）のように回転させる。エンジンを切る場合は、（３）→（２）→（１）のように回転させる。したがって、以下の条件のいずれか、もしくは、これらを組み合わせ、鍵の挿入状態や向きをチェックすることにより車が所定の停止状態にあると判定することができる。
（ａ）鍵が抜かれている場合に「所定の停止状態である」と検知する。
（ｂ）鍵が抜かれてから所定の時間（たとえば５分）が経過した場合に「所定の停止状態である」と検知する。
（ｃ）鍵が挿入されていて上記（１）の向きである。
（ｄ）鍵が挿入されていて上記（２）の向きである。
【００４３】
一方、車側無線通信部１６３は、ダウンロード局１３１と無線通信する。
【００４４】
さらに、要求送信部１６４は、当該車が所定の停止状態にある旨検知された場合（ステップＳ２０１；Ｙｅｓ）、ダウンロード要求を、車側無線通信部１６３を介してダウンロード局１３１へ送信する（ステップＳ２０２）。これを契機として、マルチメディア情報のダウンロードが開始される。
【００４５】
ダウンロード局１３１において、局側無線通信部１３２は、車載再生装置１６１と無線通信する。
【００４６】
一方、要求受信部１３３は、車載再生装置１６１から送信されたダウンロード要求を、局側無線通信部１３２を介して受信する（ステップＳ２０３）。
【００４７】
さらに、情報送信部１３４は、ダウンロード要求が受信された場合、当該ダウンロード局１３１にあらかじめ蓄積され、もしくは、当該ダウンロード局１３１が接続されたコンピュータ通信網内に蓄積されたマルチメディア情報を、局側無線通信部１３２を介して車載再生装置１６１へ送信する（ステップＳ２０４）。
【００４８】
一般には、ダウンロード局１３１は、インターネットなどのコンピュータ通信網１８１に接続されており、ここから各種のマルチメディア情報を入手することができるほか、所定のスケジュールにしたがってあらかじめコンピュータ通信網内のマルチメディア情報を入手し、ダウンロード局１３１が備えるハードディスク１８２などの蓄積装置に記憶しておくことができる。送信の際には、これらのマルチメディア情報を伝送することとなる。
【００４９】
車載再生装置１６１において、情報受信部１６５は、ダウンロード局１３１から送信されたマルチメディア情報を、車側無線通信部１６３を介して受信する（ステップＳ２０５）。
【００５０】
一方、情報蓄積部１６６は、受信されたマルチメディア情報を蓄積して（ステップＳ２０６）、本処理を終了する。蓄積には、耐振動性のあるハードディスクや書き込み可能なディジタルビデオディスク、電子メモリ（フラッシュＥＥＰＲＯＭ（Electrically Erasable Programmable Read Only Memory））、音楽用カセットテープ、音楽用ミニディスクなどの不揮発性の記憶装置を用いればよい。
【００５１】
なお、車が停止状態にない旨が検知された場合（ステップＳ２０１；Ｎｏ）、本処理は終了する。
【００５２】
なお、これらの処理は、車の状態が変化するごとに起動されることを想定しているが、「車が停止状態になった」旨が割り込み等によって検知できる場合は、ステップＳ２０１の検知処理をあらためて行う必要はなく、当該割り込みが発生したらステップＳ２０２〜ステップＳ２０６を実行するように設定しておけばよい。
【００５３】
このように、自動車を車庫に入れてエンジンを切るだけで、自動的に楽曲や地図等のマルチメディア情報がカーステレオやカーナビゲーションシステム等にダウンロードされるので、ダウンロードが済んで蓄積されたマルチメディア情報の再生には、情報再生部１６７により、通常通りカーステレオやカーナビゲーションシステムを動作させればよい。これらを動作させることができる場合は、「車は停止状態にない」からである。これにより、スピーカーから音声が出力されたり、テレビジョン装置などのディスプレイに画像が表示されたりする。
【００５４】
今後は、各ユーザの自宅における常時接続固定料金ＬＡＮ（Local Area Network）が普及すると考えられるが、本実施形態では、マルチメディア情報の取得・ダウンロードには、このような定額ネットワークを利用できるため、特に、携帯電話などの移動体端末などを用いてマルチメディア情報を取得・ダウンロードする場合に比べて、費用を削減し速度を向上するのに貢献することができる。
【００５５】
【発明の効果】
以上説明したように、本発明によれば、ダウンロード再生システム、車載再生装置、ダウンロード局、車載再生方法、ダウンロード方法、ならびに、プログラムを提供することができる。
【図面の簡単な説明】
【図１】  本発明の実施形態に係るダウンロード再生システムの概要構成を示す模式図である。
【図２】  本実施形態において実行される車側ダウンロード処理と、局側ダウンロード処理と、の処理の流れを示すフローチャートである。
【符号の説明】
１０１  ダウンロード再生システム
１３１  ダウンロード局
１３２  局側無線通信部
１３３  要求受信部
１３４  情報送信部
１６１  車載再生装置
１６２  検知部
１６３  車側無線通信部
１６４  要求送信部
１６５  情報受信部
１６６  情報蓄積部
１６７  情報再生部
１８１  コンピュータ通信網（インターネット）
１８２  ハードディスク
【図１】
0004694049.tif 000002
【図２】
0004694049.tif 000003